(57)【要約】圧力容器内で膜要素を操作するための方法。圧力容器は、中心軸、遠位端、近位端、および近位端に配置された注入口を有する。膜要素は、少なくとも１つの流体開口部のある膜要素前面および膜要素後面を有する。膜要素は、膜要素前面が近位端に面するように圧力容器内に収容されて、膜要素前面に印加された軸方向力により、中心軸に沿って移動できる。本方法は、流体密封要素を圧力容器内に配置して、注入口と流体密封要素との間の近位端に流体室を形成するようにするステップ、および流体を流体室に取り込んで、膜要素を、圧力容器の遠位端に向かう方向に中心軸に沿って移動させるステップを含む。
2014528823.tif 000002
【特許請求の範囲】
【請求項１】
圧力容器内で膜要素を操作するための方法であって、前記圧力容器が、中心軸、遠位端、近位端および前記近位端に配置された注入口を有し、前記膜要素が、少なくとも１つの流体開口部をもつ膜要素前面および膜要素後面を有し、前記膜要素が、前記膜要素前面が前記近位端に面するように前記圧力容器内に収容されて、前記膜要素前面に印加された軸方向力により前記中心軸に沿って移動できる、前記方法が、
流体密封要素を前記圧力容器内に配置して、前記注入口と前記流体密封要素との間の前記近位端に流体室を形成するようにするステップであって、前記流体密封要素が、前記膜要素の少なくとも前記１つの流体開口部を密封し、それにより、前記膜要素が、少なくとも前記１つの開口部を通って前記流体室から流体がその中に受け入れられるのを防ぐように構成されている、ステップと、
流体を前記流体室に取り込み、前記流体密封要素を前記注入口から離して移動させる流体圧力を前記流体室内に構築して、軸方向力を前記膜要素に印加し、それにより、前記膜要素を前記圧力容器の前記遠位端に向かう方向に前記中心軸に沿って移動させるステップとを含む
方法。
【請求項２】
流体密封要素を前記圧力容器内に配置する前記ステップが、前記圧力容器の内表面と前記流体密封要素との間の密封を維持しながら、前記流体密封要素を前記膜要素前面に隣接させるステップをさらに含む、請求項１に記載の方法。
【請求項３】
前記流体密封要素を前記膜要素前面に取り付けるステップをさらに含む、請求項１または請求項２のいずれか１つに記載の方法。
【請求項４】
前記流体密封要素が、少なくとも部分的に前記膜要素前面を密封するために、形状および寸法において前記膜要素前面に対応する前部部材面を有する、先行する請求項のいずれか１つに記載の方法。
【請求項５】
Ｄ３＜Ｄ２＜Ｄ１またはＤ２≦Ｄ３＜Ｄ１になるように、前記圧力容器が直径Ｄ１の円筒状内表面を有し、前記膜要素前面が直径Ｄ２の円形形状を有し、かつ、前記流体密封要素が直径Ｄ３の円形形状を有する、先行する請求項のいずれか１つに記載の方法。
【請求項６】
前記膜要素が、前記膜要素前面に前面通路端部、および前記膜要素後面に後面通路端部を有する中央流体通路を有し、かつ、前記少なくとも１つの流体開口部を含むいくつかの流体開口部が、前記前面通路端部の周囲に配置されて、前記流体開口部を密封するために前記流体密封要素が使用される場合、前記流体密封要素が、前記前面通路端部で密封して収容されるために構成されたプラグを有する、先行する請求項のいずれか１つに記載の方法。
【請求項７】
前記プラグが、サイズおよび寸法において前記前面通路端部に適合するように構成されている、請求項６に記載の方法。
【請求項８】
前記流体密封要素が、前記流体密封要素と前記膜要素前面との間に、それらの間を流体が通過するのを防ぐために配置されるために構成された周辺密封部材を有する、先行する請求項のいずれか１つに記載の方法。
【請求項９】
前記流体室内の流体の前記流体圧力を制御し、それにより、前記圧力容器内での前記膜要素の移動を制御するステップをさらに含む、先行する請求項のいずれか１つに記載の方法。
【請求項１０】
前記流体室内に取り込まれる流体のソース圧力を制御するステップをさらに含み、任意選択で、前記ソース圧力値を１バール〜８バールの間に確立するステップをさらに含む、先行する請求項のいずれか１つに記載の方法。
【請求項１１】
前記圧力容器が、前記注入口でエンドプレートを固定して受け入れて、前記流体室が、前記エンドプレートと前記流体密封要素との間の前記近位端に形成されるように構成されている、先行する請求項のいずれか１つに記載の方法。
【請求項１２】
前記エンドプレートが、流体を前記流体室に取り込むために構成されたポートを有する、請求項１１に記載の方法。
【請求項１３】
前記膜要素を前記圧力容器の前記遠位端から取り出すことにより、前記圧力容器内での前記膜要素の前記移動を終了するステップをさらに含む、先行する請求項のいずれか１つに記載の方法。
【請求項１４】
前記膜要素が、前記圧力容器内に配置された第１の膜要素を構成し、かつ、前記圧力容器が、前記第１の膜要素と前記圧力容器の前記遠位端との間で、前記圧力容器内に収容された少なくとも別の膜要素をさらに含み、前記圧力容器内での前記第１の膜要素の前記流体密封要素による前記移動が、前記少なくとも１つの別の膜要素の対応する移動を引き起こす、先行する請求項のいずれか１つに記載の方法。
【請求項１５】
請求項１〜請求項１４のいずれか１つに従った方法で使用するための流体密封要素。
【請求項１６】
圧力容器内で膜要素を操作するための方法であって、前記圧力容器が、中心軸、遠位端、近位端および前記近位端に配置された注入口を有し、前記膜要素が、少なくとも１つの流体開口部をもつ膜要素前面および膜要素後面を有し、前記膜要素が、前記膜要素前面が前記近位端に面するように前記圧力容器内に収容されて、前記膜要素前面に印加された軸方向力により前記中心軸に沿って移動できる、前記方法が、
流体密封要素を前記圧力容器内に配置して、前記注入口と前記流体密封要素との間の前記近位端に流体室を形成するようにするステップであって、前記流体密封要素が、前記圧力容器の内表面に対して密閉して取り付けられて、前記膜要素および前記膜要素と前記内表面との間の前記通路が、前記流体室からその中に流体を受け入れるのを防ぐために構成されている、ステップと、
流体を前記流体室に取り込み、前記流体密封要素を前記注入口から離して移動させる流体圧力を前記流体室内に構築して、軸方向力を前記膜要素に印加し、それにより、前記膜要素を前記圧力容器の前記遠位端に向かう方向に前記中心軸に沿って移動させるステップとを含む
方法。
【請求項１７】
流体密封要素を前記圧力容器内に配置する前記ステップが、前記圧力容器の内表面と前記流体密封要素との間の前記密封を維持しながら、前記流体密封要素を前記膜要素前面に隣接させるステップをさらに含む、請求項１６に記載の方法。
【請求項１８】
前記流体密封要素を前記膜要素前面に取り付けるステップをさらに含む、請求項１６または請求項１７のいずれか１つに記載の方法。
【請求項１９】
前記流体密封要素が、少なくとも部分的に前記膜要素前面を密封するために、形状および寸法において前記膜要素前面に対応する前部部材面を有する、先行する請求項のいずれか１つに記載の方法。
【請求項２０】
Ｄ３＜Ｄ２＜Ｄ１またはＤ２≦Ｄ３＜Ｄ１になるように、前記圧力容器が直径Ｄ１の円筒状内表面を有し、前記膜要素前面が直径Ｄ２の円形形状を有し、かつ、前記流体密封要素が直径Ｄ３の円形形状を有する、先行する請求項のいずれか１つに記載の方法。
【請求項２１】
前記膜要素が、前記膜要素前面に前面通路端部、および前記膜要素後面に後面通路端部を有する中央流体通路を有し、かつ、前記少なくとも１つの流体開口部を含むいくつかの流体開口部が、前記前面通路端部の周囲に配置されて、前記流体密封要素が前記圧力容器内に取り付けられる場合、前記流体密封要素が、前記前面通路端部で収容されるために構成されたプラグを有する、先行する請求項のいずれか１つに記載の方法。
【請求項２２】
前記プラグが、サイズおよび寸法において前記前面通路端部に適合するように構成されている、請求項２１に記載の方法。
【請求項２３】
前記流体密封要素が、前記流体密封要素と前記圧力容器の前記内表面との間に、それらの間を流体が通過するのを防ぐために配置されるために構成された周辺密封部材を有する、先行する請求項のいずれか１つに記載の方法。
【請求項２４】
前記流体室内の流体の前記流体圧力を制御し、それにより、前記圧力容器内での前記膜要素の前記移動を制御するステップをさらに含む、先行する請求項のいずれか１つに記載の方法。
【請求項２５】
前記流体室内に取り込まれる流体のソース圧力を制御するステップをさらに含み、かつ、任意選択で、前記ソース圧力値を１バール〜８バールの間に確立するステップをさらに含む、先行する請求項のいずれか１つに記載の方法。
【請求項２６】
前記圧力容器が、前記注入口でエンドプレートを固定して受け入れて、前記流体室が、前記エンドプレートと前記流体密封要素との間の前記近位端に形成されるように構成されている、先行する請求項のいずれか１つに記載の方法。
【請求項２７】
前記エンドプレートが、流体を前記流体室に取り込むために構成されたポートを有する、請求項２６に記載の方法。
【請求項２８】
前記膜要素を前記圧力容器の前記遠位端から取り出すことにより、前記圧力容器内での前記膜要素の前記移動を終了するステップをさらに含む、先行する請求項のいずれか１つに記載の方法。
【請求項２９】
前記膜要素が、前記圧力容器内に配置された第１の膜要素を構成し、かつ、前記圧力容器が、前記第１の膜要素と前記圧力容器の前記遠位端との間で、前記圧力容器内に収容された少なくとも別の膜要素をさらに含み、前記圧力容器内の前記第１の膜要素の前記流体密封要素による前記移動が、前記少なくとも別の膜要素の対応する移動を引き起こす、先行する請求項のいずれか１つに記載の方法。
【請求項３０】
請求項１６〜請求項２９のいずれか１つに従った方法で使用するための流体密封要素。
【発明の詳細な説明】
【技術分野】
【０００１】
本発明は、脱塩システムおよび水処理システムに関する。特に、本開示の主題は、圧力容器内で膜要素を操作するための方法に関係する。
【背景技術】
【０００２】
異なるタイプの供給水（例えば、汽水、海水、処理排水など）が、飲用、灌漑用、または産業利用に適するように、浄化されるか、または真水に変換されるために、処理できる。この水は、異なる技術によって処理でき、そのうちの１つが逆浸透技術である。この技術によれば、比較的無塩の水が通過できる、膜要素内に配置された膜シートに対して、塩分を含んだ供給水を押し付けるために圧力が使用される。逆浸透用に使用される膜シートは、ほとんどの分離が生じる高分子マトリックス内に緻密な障壁層を有し得る。水は、ナノろ過および限外ろ過などの他の技術で処理できるが、その場合は、他のタイプの膜が使用できる。ほとんどの場合、膜シートは、溶質（塩イオンなど）の通過を阻止しながら、水だけがこの緻密な層を通過できるように設計される。このプロセスは、打ち勝つ必要のある、約２７バール（３９０ｐｓｉ）の自然の浸透圧を有する、膜要素の高濃度側に、高い圧力（海水である供給水に対しては通常、４０〜７０バール）がかけられることを必要とする。
【０００３】
膜シートがその中に配置されている膜要素は、通常、圧力容器の内部に取り付けられる。時々、保守または交換などの異なる必要性のために、膜要素を圧力容器から取り出す必要があり得る。圧力容器からの膜要素の取出しは、例えば、膜要素が圧力容器内にしっかりと収容されている場合、圧力容器が脱塩システム内の高い位置に配置されている場合、または膜要素と圧力容器との間に塩の蓄積がある場合、困難なタスクであり得る。
【０００４】
それ故、膜要素が圧力容器内で、それに従って操作および移動できる方法を開発する必要性がある。
【発明の概要】
【課題を解決するための手段】
【０００５】
本開示の主題は、その一態様において、圧力容器内で膜要素を操作するための方法を提供する。本方法は、流体力を使用することにより、膜要素の圧力容器からの取出しを容易にするように適合される。本開示の方法は、膜要素を圧力容器から取り出すための他の技術を置換できる。これら他の技術の一例は、膜要素を圧力容器から手動で押し出すための押出し棒を使用する作業員によって実行される膜要素の取出しである。この例では、２人以上の作業員が、膜要素を圧力容器から取り出すために必要とされ得る。本開示の主題の膜要素および圧力容器は、ナノろ過システム、限外ろ過システム、および逆浸透システムなどの、様々な水脱塩および／または処理システムで使用できる。
【０００６】
本開示の方法を使用することにより、膜要素を容器から取り出すために１人の作業員が必要とされ得る。
【０００７】
圧力容器は、中心軸、遠位端、近位端、および近位端に配置された注入口を有する。膜要素は、少なくとも１つの流体開口部のある膜要素前面および膜要素後面を有する。膜要素は、膜要素前面が近位端に面するように圧力容器内に収容されて、膜要素前面に印加された軸方向力により、中心軸に沿って移動できるようにする。
【０００８】
一態様によれば、圧力容器内で膜要素を操作するための方法は、少なくとも次のステップ：前記圧力容器内に流体密封要素を配置して、注入口と流体密封要素との間の近位端に流体室を形成すること、を含む。流体密封要素は、膜要素の少なくとも前記１つの流体開口部を密封し、それにより、膜要素が、前記流体室から少なくとも前記１つの開口部を通してその中に流体を受け入れるのを防ぎ；かつ、流体（例えば、液体、水、気体）を流体室に取り込んで、流体密封要素を注入口から離して移動させる流体圧力を流体室内に構築して、軸方向力を膜要素に印加し、それにより、膜要素を圧力容器の遠位端に向かう方向に中心軸に沿って移動させるために構成される。
【０００９】
本開示の主題に従った方法は、少なくとも１つの膜要素をその中に収容した、任意の既知の圧力容器とともに使用できる。
【００１０】
流体密封要素は、流体室と圧力容器の内部との間に密封を提供するために、流体に対して透過性ではない材料で作られ得る。
【００１１】
注入口は、異なる寸法を有することができ、流体を流体室内に閉じ込めて、注入口からそれが出るのを防ぐために構成されている、流体密封要素を含み得る。
【００１２】
圧力容器内で膜要素を操作するための方法は、追加として、エンドプレートと流体密封要素との間の近位端に流体室が形成されるように、エンドプレートを注入口に固定して取り付けるステップを含み得る。エンドプレートは、流体を流体室に取り込むように構成されたポートを有し得る。
【００１３】
流体室は、流体がそこを通ってその中に取り込まれ得るポートのある、任意の密封された室であり得る。流体室は、その中に取り込まれる流体を蓄積でき、また、蓄積された流体が所定の流体圧力に達すると、その容積を増大させる能力を有し得る。容積の増大は、流体室内で所定の流体圧力に達すると、圧力容器内で移動される、流体密封要素などの、移動要素によって提供できる。
【００１４】
圧力容器内の流体密封要素を移動させるステップは、流体密封要素を膜要素前面に隣接させるステップをさらに含む。あるいは、流体密封要素は、膜要素前面に接触することなく、圧力容器内に配置され得る。この場合、流体が流体室内に取り込まれた後にのみ、流体密封要素は、流体によって膜要素前面に向かって移動されて、それに取り付けられるであろう。
【００１５】
本方法は、流体をその中に取り込む前に、流体密封要素を膜要素前面に取り付けるステップをさらに含み得る。あるいは、流体密封要素の膜要素前面への取付けは、流体を流体室に取り込んだ後に、実行できる。
【００１６】
流体密封要素は、少なくとも部分的に膜要素前面を密封するために、形状および寸法において膜要素前面に対応する前部部材面（ｆｒｏｎｔ  ｍｅｍｂｅｒ  ｆａｃｅ）を有し得る。
【００１７】
Ｄ３＜Ｄ２＜Ｄ１またはＤ２≦Ｄ３＜Ｄ１になるように、圧力容器は、直径Ｄ１の円筒状内表面を有し得、膜要素前面は、直径Ｄ２の円形形状を有し得、また、流体密封要素は、直径Ｄ３の円形形状を有し得る。
【００１８】
膜要素は、膜要素前面に前面通路端部、および膜要素後面に後面通路端部を有する中央流体通路を有し得、膜要素の少なくとも１つの流体開口部を含むいくつかの流体開口部が、前面通路端部の周囲に配置され得る。膜要素の流体開口部を密封するために流体密封要素が使用される場合、流体密封要素は、前面通路端部で密封して収容されるように構成されたプラグを有し得る。
【００１９】
流体密封要素は、前面通路端部にねじで留められるように構成できる。この場合、流体密封要素のプラグはねじ山を有し得る。
【００２０】
流体密封要素は、流体密封要素と膜要素前面との間に、それらの間を流体が通過するのを防ぐために配置されるように構成された周辺密封部材を有し得る。
【００２１】
本方法は、流体室内の流体の流体圧力を制御し、それにより圧力容器内で膜要素の移動を制御するステップをさらに含み得る。
【００２２】
本方法は、流体室に取り込まれる流体のソース圧力（ｓｏｕｒｃｅ  ｐｒｅｓｓｕｒｅ）を制御するステップをさらに含み得、任意選択で、ソース圧力値を１バール〜８バールの間で確立するステップをさらに含む。ソース圧力は、供給水の脱塩中に、膜要素に取り込まれる供給水の圧力に対して相対的に低いことがあり得る。
【００２３】
本方法は、膜要素を圧力容器の遠位端から取り出すことにより、圧力容器内での膜要素の移動を終了するステップをさらに含み得る。
【００２４】
膜要素は、圧力容器内に配置された第１の膜要素を構成し得、圧力容器は、第１の膜要素と圧力容器の遠位端との間に、圧力容器内に収容された少なくとも別の膜要素をさらに含み得る。この場合、流体密封要素による圧力容器内での第１の膜要素の移動は、別の膜要素の対応する移動を引き起こし得る。
【００２５】
本開示の主題のさらなる態様によれば、圧力容器内で膜要素を操作するための方法は、前記圧力容器内に流体密封要素を配置して、前記注入口と前記流体密封要素との間の前記近位端に流体室を形成するステップであって、前記流体密封要素が、膜要素および膜要素と内表面との間の通路がその中に前記流体室から流体を受け入れるのを防ぐために、圧力容器の内表面に対して密封して取り付けられるように構成されている、ステップ；および流体を前記流体室に取り入れて、前記流体密封要素を前記注入口から離して移動させる流体圧力を前記流体室内に構築して、軸方向力を前記膜要素に印加し、それにより、膜要素を、圧力容器の前記遠位端に向かう方向に中心軸に沿って移動させるステップを含む。
【００２６】
本発明を理解し、それが実際にはどのように実行され得るかを知るために、添付の図を参照して、限定されない、ほんの一例としての実施形態がここで説明される。
【図面の簡単な説明】
【００２７】
【図１】本開示の方法が使用できる脱塩システムの一例の斜視図を示す。
【図２】本開示の主題の一例に従って、膜要素をその中に収容した圧力容器の一例の斜視図を示す。
【図３Ａ】本開示の主題の一例に従って、膜要素をその中に収容した圧力容器、およびその圧力容器内に収容された流体密封要素の一例の斜視図を示す。
【図３Ｂ】本開示の主題の一例に従って、膜要素をその中に収容した圧力容器、およびその圧力容器内に収容された流体密封要素の一例の斜視図を示す。
【図３Ｃ】本開示の主題の一例に従って、膜要素をその中に収容した圧力容器、およびその圧力容器の注入口に取り付けられたエンドプレートの一例の斜視図を示す。
【図４】本開示の主題の一例に従って、膜要素をその中に収容した圧力容器、流体密封要素、エンドプレート、およびコネクタの斜視図を示す。
【図５Ａ】本開示の主題の一例に従った、流体密封要素の断面図および斜視図をそれぞれ示す。
【図５Ｂ】本開示の主題の一例に従った、流体密封要素の断面図および斜視図をそれぞれ示す。
【図６Ａ】本開示の主題の方法の一例に従って、膜要素をその中に収容した圧力容器の断面図を示す。
【図６Ｂ】本開示の主題の方法の一例に従って、膜要素をその中に収容した圧力容器の断面図を示す。
【図６Ｃ】本開示の主題の方法の一例に従って、膜要素をその中に収容した圧力容器の断面図を示す。
【発明を実施するための形態】
【００２８】
まず、本開示の主題に従った方法が使用され得る、脱塩システム（ほとんどの場合、１０として示される）の一例を示す図１を参照されたい。図１の脱塩システム１０の例は、逆浸透システムである。他の例によれば、脱塩システム１０は、ナノろ過システムまたは限外ろ過システムであり得る。
【００２９】
システム１０は、脱塩される供給水（例えば、海水）をそこから受け入れるための注入管１５と流体連結している複数の圧力容器２０、および供給水がその脱塩のためにそこを通過するための、圧力容器２０内に取り付けられた膜要素を含む。
【００３０】
図２は、注入管１５がそこから切断されているときの、脱塩システム１０の圧力容器２０の一部を詳細に示す。圧力容器２０は、中心軸Ｘ、遠位端２１（図６Ａ〜図６Ｂに示す）、近位端２２、および近位端２２に配置された注入口２４を有する。圧力容器２０は、その中に収容された膜要素３０を有する。膜要素３０は、複数の流体開口部３４のある膜要素前面３２、膜要素３０のもう一方の端部に位置付けられた膜要素後面（図示せず）、および膜要素前面３２と膜要素後面との間に延在する中央流体通路３６を有する。中央流体通路３６は、膜要素前面３２に配置された前面通路端部３７および膜要素後面に配置された後面通路端部（図示せず）を有する。開口部３４は、前面通路端部３７の周囲に配置されている。膜要素３０は、軸方向力がそれに印加されると、中心軸Ｘに沿って移動され得る。例えば、膜要素３０は、押力がその膜要素前面３２に印加されると、圧力容器２０の遠位端を通って容器２０から取り出され得る。
【００３１】
膜要素３０は、開口部３４を通って膜要素３０に入る供給水が、それを通して脱塩される複数の半透過性膜シート（図示せず）を含む。脱塩プロセスでは、開口部３４は、容器２０の注入口２４から供給水を受け取り、それを、生産水を受け取るために膜要素３０の半透過性膜シートを通して移動させ、その生産水（例えば、脱塩水、飲用水）を中央流体通路３６内に集めて、その生産水を後面通路端部を経て生産水管（図示せず）に取り出すように構成されている。このプロセスを使用することにより、膜要素３０から出る生産水は、供給水よりも少ない溶質および／または他の溶媒を有し得る。半透過性膜シートを通過することができない溶質および／または他の溶媒は、その洗浄用に使用されている濃縮水によって膜要素から排除され得る。
【００３２】
時々、保守、洗浄、交換、点検、および同様のもの、などの様々な必要性のために、膜要素３０（または複数の膜要素）を容器２０から取り出す必要があり得る。この必要を満たすために、容器２０内で膜要素３０を操作するための、本開示の主題に従った方法が、３つのおおまかなステップで使用され得る。
【００３３】
本開示の方法の第１のステップが図３Ａ〜図３Ｂに示されているが、それらの図では、流体密封要素４０が、圧力容器２０の近位端２２に注入口２４を通って挿入される。図３Ａは、近位端２２に配置されているが、膜要素３０に取り付けられていない、流体密封要素４０を示す。流体密封要素４０の近位端２２への挿入に続いて、流体密封要素４０は、膜要素前面３２に近位に配置されて、それに取り付けられ得る。図３Ｂに示されている、この位置で、流体密封要素４０は、膜要素３０が開口部３４を通ってその中に流体を受け入れるのを防ぐために、膜要素３０の開口部３４を密封できる。さらに、一例によれば、圧力容器内に取り付けられる場合、流体密封要素と内表面との間に密封があり得る。図３Ａに示されるように、流体密封要素４０は、膜要素前面を密封するために、形状および寸法において膜要素前面３２に対応する前部部材面４１を有する。Ｄ２＜Ｄ３＜Ｄ１になるように、圧力容器２０は、直径Ｄ１（例えば、Ｄ１は、８″の値を有する）の円筒状内表面４８を有し、膜要素前面３２は、直径Ｄ２の円形形状を有し、また、流体密封要素４０は、直径Ｄ３の円形形状を有する。流体密封要素４０は、流体開口部３４を密封するために、流体密封要素が膜要素前面３２に取り付けられる場合、中央流体通路３６の前面通路端部３７で収容されるように構成されたプラグ４３を有する。流体密封要素４０は、例えば、膜要素３０へのその取付け中に、流体密封要素４０を保持するために構成されたグリップ４７を有する。流体密封要素４０は、流体密封要素４０と内表面４８との間に、それらの間を流体が通過するのを防ぐために配置されるように構成された周辺密封部材４４を有する。図５Ａおよび図５Ｂは、それぞれ、流体密封要素４０の断面図および斜視図を示す。これらの図では、グリップ４７、密封部材４４、および前面通路端部３７に配置されたそれぞれの凹み（図示せず）内に収容されるために構成されているプラグ４３を有する流体密封要素４０が示されている。
【００３４】
本開示の主題の第２のステップが図３Ｃに示されているが、その図では、エンドプレート５０が注入口２４で受け入れられて、エンドプレート５０と流体密封要素４０との間に流体室６０（図６Ａ〜図６Ｂに示す）が形成されるようにする。エンドプレート５０は、容器２０の近位端２２にコネクタ６２によって固定できる。エンドプレート５０は、流体を流体室６０に取り込むために管６６を連結できる、ポート６４を有する。
【００３５】
ここで図４を参照すると、脱塩システム１０において、本開示の方法の第１および第２のステップで使用される要素の斜視図が概略的に示されている。要素は次のとおりである：容器２０（ストライプの線で示す）、その中に収容された膜要素３０、流体密封要素４０、エンドプレート５０、およびコネクタ６２。図４は、圧力容器２０の近位端２２で流体室６０（図６Ａ〜図６Ｂに示す）を形成するためのステップを示す。大まかにＡと示されている、第１のステップでは、エンドプレート５０が、近位端２２に挿入されて、膜要素前面３２に取り付けられ得る。大まかにＢと示されている、第２のステップでは、エンドプレート５０が、注入口２４で受け入れられ得、そして、大まかにＢ´と示されている、別のステップが続くが、そのステップでは、エンドプレート５０を近位端２２に固定するためにコネクタ６２が使用される。
【００３６】
本開示の方法の第３のステップが図６Ａ〜図６Ｂに示されているが、それらの図では、膜要素３０を有する圧力容器２０の断面図が示されている。第３のステップに従って、流体室６０内に流体圧力を構築するために、流体７５が流体室６０に取り入れられる。流体室６０内で構築された流体圧力は、流体密封要素４０を注入口２４から離して、圧力容器２０の遠位端２１に向かって移動させる。この移動は、軸方向力Ｆを膜要素３０の膜要素前面３２に印加することに続く。軸方向力Ｆは、膜要素３０を押して、それを、圧力容器２０の遠位端２１に向かう方向に中心軸Ｘに沿って移動させる。流体７５の流体室６０への取入れが停止されなければ、図６Ｃに示すように、膜要素３０が、圧力容器２０の遠位端２１を通ってそこから完全に取り出されることによって、第３のステップが終了され得る。
【００３７】
流体７５の流体室６０への取入れは、その流体の圧力、すなわち、ソース圧力を変更すること、およびその値を１〜８バールの間に確立することによって制御できる。ソース圧力値の変更は、流体室６０内に構築される流体圧力を変更でき、これは、圧力容器２０内での膜要素３０の移動に影響を及ぼし得る。
【００３８】
圧力容器がもっと長いか、または膜要素がもっと短い、他の例によれば、（２つ以上の膜要素を有する）膜要素の配列が、圧力容器内に収容され得る。この場合、本開示の方法は、膜要素の配列の第１の膜要素の膜要素前面に対して実施でき、流体の流体室への取り入れ中に、第１の膜要素の移動が、圧力容器内の他の膜要素の対応する移動を引き起こすであろう。
【００３９】
別の例によれば、エンドプレートの代わりに別の要素が使用できる。この要素は、膜要素の圧力容器内での移動のために、その中に構築された流体圧力に適した流体室を提供するため、圧力容器の注入口に取り付けられ得る。
【００４０】
本開示の主題に従った方法は、膜要素および／または容器が異なる構造および／または機能を有する他の例でも使用できる。
【図１】
2014528823.tif 000003
【図２】
2014528823.tif 000004
【図３Ａ】
2014528823.tif 000005
【図３Ｂ】
2014528823.tif 000006
【図３Ｃ】
2014528823.tif 000007
【図４】
2014528823.tif 000008
【図５Ａ】
2014528823.tif 000009
【図５Ｂ】
2014528823.tif 000010
【図６Ａ】
2014528823.tif 000011
【図６Ｂ】
2014528823.tif 000012
【図６Ｃ】
2014528823.tif 000013
【国際調査報告】
2014528823.tif 000014
2014528823.tif 000015